(57)【要約】      （修正有）【課題】設置及び移動が容易で、且つ外観上違和感の少ない監視カメラを提供する。【解決手段】監視カメラ５０は一定の位置に固定する必要が無いため設置や移動を容易に行うことができる。さらに、監視カメラ５０はだるまの目部にカメラ部３０が設置されているため、職場内や事務所、応接室、一般家庭の応接間等に設置しても違和感が少なく、顧客等に対する不快感を軽減することができる。【選択図】図１
0003147066.tif 000002
【実用新案登録請求の範囲】
【請求項１】
だるま本体の目部に設置孔を設け、
該設置孔に監視領域の画像を撮影する撮影手段と周囲の音声を取得する音声取得手段と当該画像及び音声を記録する記録手段とを備えた略球形のカメラ部を設置したことを特徴とする監視カメラ。
【考案の詳細な説明】
【技術分野】
【０００１】
本考案は、設置及び移動が容易で且つ外観上違和感の少ない監視カメラに関するものである。
【背景技術】
【０００２】
近年、防犯上の観点から商店や遊戯施設等には店舗内を撮影する監視カメラが多く設置されている。これら監視カメラは、下記［特許文献１］に示されるように天井等に固定して店舗内を広範囲に監視し、特に不特定多数の人物による商品の盗難や不正行為等を発見する用途に用いられる。
【０００３】
【特許文献１】特開２００８−８５８９５号公報
【考案の開示】
【考案が解決しようとする課題】
【０００４】
しかしながら、特定の人物や顧客と個別に対応する場合には、店舗とは別の応接スペースを用いることが多い。また、個人事務所や選挙事務所、中小企業、小規模なオフィス等では、職場の一角に設けられた応接スペースで顧客等との対応が行われる。近年、これら応接スペースにおいても顧客等とのトラブルが発生する場合があり、脅迫行為や暴力行為に発展する可能性も増大している。よって、これら応接スペースにも犯罪行為の抑止及び証拠の取得のため監視カメラの導入が必要とされている。しかしながら、上記の応接スペースは職場のレイアウト変更等で大きく移動する場合があり、［特許文献１］のように天井等に固定する監視カメラでは柔軟に対応することができない。また、監視カメラを職場内に設置するのは外観上不自然であり、顧客等に対して違和感や不快感を与える可能性がある。
【０００５】
本考案は、上記事情に鑑みてなされたものであり、設置及び移動が容易で且つ外観上違和感の少ない監視カメラを提供することを目的とする。
【課題を解決するための手段】
【０００６】
本考案は、
（１）だるま本体２０の目部に設置孔２２を設け、
該設置孔２２に監視領域の画像を撮影する撮影手段３２と周囲の音声を取得する音声取得手段３４と当該画像及び音声を記録する記録手段３６とを備えた略球形のカメラ部３０を設置したことを特徴とする監視カメラ５０を提供することにより、上記課題を解決する。
【考案の効果】
【０００７】
本考案の監視カメラは、
一定の位置に固定する必要が無いため設置や移動を容易に行うことができる。また、本考案に係る監視カメラはだるまの目部にカメラ部が設置されているため、職場内や事務所、応接室、一般家庭の応接間等に設置しても違和感が少なく、顧客等に対する不快感を軽減することができる。
【考案を実施するための最良の形態】
【０００８】
以下、本考案に係る監視カメラの実施の形態について図面に基づいて説明する。図１は本考案に係る監視カメラの外観を示す図である。図２は本考案に係る監視カメラのだるま本体の内部構造を示す図である。図３は本考案に係る監視カメラのカメラ部のブロック図である。
【０００９】
本考案に係る監視カメラ５０は、図１、図２に示すように、目部（本例では片目部）に設置孔２２が形成されただるま本体２０と、設置孔２２に設置される外形が略球形のカメラ部３０と、を有している。尚、設置孔２２には例えばシリコンゴム等の樹脂からなる設置ホルダ２４が設けられ、この設置ホルダ２４によりカメラ部３０はだるま本体２０からの着脱が可能となる。また、カメラ部３０は設置ホルダ２４の接触面に沿って摺動が可能であり、使用者がカメラ部３０のレンズ３２ａの向きをカメラ部３０ごと変えることで、監視カメラ５０の撮影方向を比較的自由に変化させることができる。
【００１０】
だるま本体２０の所定の位置にはカメラ部３０を出し入れ可能な取出口２６が形成されており、この取出口２６によりカメラ部３０をだるま本体２０から出し入れすることができる。取出口２６の形成位置は特に限定は無いが、美観上の観点からだるま本体２０の背面もしくは底面に形成することが好ましい。尚、本例では取出口２６をだるま本体２０の底面に形成する例を示しており、この場合、取出口２６には取出口２６の周面を保護するとともにだるま本体２０の横滑りを防止するための保護部材２８を設置することが好ましい。また、保護部材２８にはカメラ部３０と商用電源等とを接続する接続ケーブル１０を通すための溝２８ａを形成することが好ましい。
【００１１】
接続ケーブル１０の一端にはカメラ部３０と接続可能なコネクタ１２が接続されており、接続ケーブル１０のもう一端には例えばコンピュータ等と接続可能なＵＳＢ端子１４とモニタやテレビ等の再生機器に接続可能な画像出力端子１６ａ及び音声出力端子１６ｂが接続されている。そして、接続ケーブル１０のＵＳＢ端子１４をアダプタ１８を介して商用電源のコンセントに差し込むことで、カメラ部３０に商用電源からの電力を供給することができる。
【００１２】
次に、カメラ部３０の構成を図３を用いて説明する。カメラ部３０は、監視領域の画像をレンズ３２ａを介して撮影する撮影手段３２と、監視カメラ５０の周囲の音声を取得する音声取得手段３４と、撮影手段３２で撮影された画像の画像データと音声取得手段３４で取得された音声の音声データとをメモリ４４に記録する記録手段３６と、カメラ部３０に対する条件設定や記録された画像データ及び音声データを再生する際に操作する操作ボタン３８ａを備えた操作部３８と、接続ケーブル１０からの電力供給が無い場合にカメラ部３０の各部に電力を供給するバッテリ部４０と、を有している。そして、これらの各部は外形が略球形のパッケージ４２に収容される。尚、パッケージ４２はだるま本体２０に設置された時にだるまの黒目に相当するものとなるため、黒色系に着色されたものを用いることが好ましい。
【００１３】
撮影手段３２としては、ＣＣＤカメラ等の周知の撮影手段を用いることができ、特にＵＳＢカメラを用いることが好ましい。また、音声取得手段３４としては小型のマイクロフォン等の周知の音声取得手段を用いることができる。記録手段３６のメモリ４４としては周知の半導体メモリを用いることができ、特にＳＤカード、ミニＳＤカード、マイクロＳＤカード等の不揮発性の半導体メモリカードを用いることが好ましい。尚、メモリ４４に半導体メモリカードを用いる場合には、半導体メモリカードを記録手段３６に出し入れするためのメモリ挿入孔４５をパッケージ４２に形成することが好ましい。また、バッテリ部４０としては充放電が可能なリチウムイオン電池やキャパシタ等を用いることができる。
【００１４】
次に、本考案に係る監視カメラ５０の動作を説明する。先ず、接続ケーブル１０のコネクタ１２をカメラ部３０のコネクタソケット１３と接続する。次に、カメラ部３０をだるま本体２０の設置ホルダ２４に嵌め込む。次に、監視カメラ５０を所定の位置に載置する。
【００１５】
次に、撮影手段３２が監視領域を撮影可能なようにカメラ部３０の向きを調整する。尚、カメラ部３０は設置ホルダ２４の弾性力によってのみ保持されているため、前述のように設置ホルダ２４の接触面に沿って比較的自由に向きを変えることができる。
【００１６】
次に、接続ケーブル１０のＵＳＢ端子１４をアダプタ１８を介して商用電源のコンセントに差し込む。これにより、商用電源からの電力が接続ケーブル１０、コネクタ１２、コネクタソケット１３、及びカメラ部３０内の図示しない電源ラインを介して各部に供給される。カメラ部３０の各部に電力が供給されると、バッテリ部４０は商用電源からの電力により充電される。また、撮影手段３２は監視領域の画像を撮影し画像データとして記録手段３６に出力する。さらに、音声取得手段３４は監視カメラ５０の周囲の音声を取得して音声データとして記録手段３６に出力する。記録手段３６は撮影手段３２からの画像データと音声取得手段３４からの音声データとをメモリ４４に記録する。このとき、記録する画像データ及び音声データがメモリ４４の記録容量を超えた場合には、記録手段３６はメモリ４４に記録されている最も古い画像データ及び音声データを消去して最新の画像及び音声データを順次上書きしていく。監視カメラ５０の録画録音時間はメモリ４４の記録容量に依存し、例えばメモリ４４に８ギガバイトのマイクロＳＤカードを用いれば、約２４時間分の画像データと音声データとを記録することができる。また、なんらかの原因により接続ケーブル１０からの電力供給が停止した場合や、商用電源からの電力供給が不可能な場合には、バッテリ部４０がカメラ部３０の各部に電力を供給し、一定時間、上記の動作を継続して行うことができる。
【００１７】
監視カメラ５０に記録された画像データ及び音声データをコンピュータ等のＵＳＢ対応機器で再生する場合には、カメラ部３０と接続した接続ケーブル１０のＵＳＢ端子１４をコンピュータ等のＵＳＢ対応機器に接続する。そして、ＵＳＢ対応機器側から所定の操作を行うことでメモリ４４に記録された監視領域の画像と音声とを再生することができる。更に、メモリ４４に記録された画像データ及び音声データをＵＳＢ対応機器のハードディスクや光ディスク等の記録媒体に保存することができる。
【００１８】
また、監視カメラ５０に記録された画像データ及び音声データをモニタやテレビ等の再生機器で再生する場合には、カメラ部３０と接続した接続ケーブル１０の画像出力端子１６ａ及び音声出力端子１６ｂを再生機器の外部入力端子に接続する。そして、カメラ部３０の操作ボタン３８ａを操作することでメモリ４４に記録された監視領域の画像と音声とを再生機器により再生することができる。尚、この再生操作は、カメラ部３０をだるま本体２０から取り外した状態で行っても良いし、設置した状態で行っても良い。
【００１９】
以上のように、本考案に係る監視カメラ５０によれば、監視領域でなんらかのトラブルが発生した場合でも、その画像及び音声は監視カメラ５０によって記録され、後日、検証や証拠等として使用することができる。また、だるま本体２０に防犯カメラが動作している旨の表示を記載することで、犯罪行為等の抑止効果を得ることができる。
【００２０】
また、本考案に係る監視カメラ５０は一定の位置に固定する必要が無いため設置や移動を容易に行うことができる。さらに、本考案に係る監視カメラ５０はだるまの目部にカメラ部３０が設置されているため、職場内や事務所、応接室、一般家庭の応接間等に設置しても違和感が少なく、顧客等に対する不快感を軽減することができる。
【００２１】
尚、本考案に係る監視カメラ５０の特にカメラ部３０の構造、接続ケーブル１０の構成等は一例であり、本考案は本考案の要旨を逸脱しない範囲で変更して実施することが可能である。
【図面の簡単な説明】
【００２２】
【図１】本考案に係る監視カメラの外観を示す図である。
【図２】本考案に係る監視カメラのだるま本体の内部構造を示す図である。
【図３】本考案に係る監視カメラのカメラ部のブロック図である。
【符号の説明】
【００２３】
２０    だるま本体
２２    設置孔
３０    カメラ部
３２    撮影手段
３４    音声取得手段
３６    記録手段
５０    監視カメラ
【図１】
0003147066.tif 000003
【図２】
0003147066.tif 000004
【図３】
0003147066.tif 000005